(57)【要約】【課題】巻線機の構造部分を簡略化し、主巻線巻装体と補助巻線巻装体の組み合わせ時に渡り線の処理の簡略化を図ることのできるコンデンサ電動機の固定子およびその製造方法を提供することを目的とする。【解決手段】歯部４に装着される絶縁体８Ａ（８Ｂ）は、回転子側の内壁に沿って周方向両側に延長された延出部８Ａ−１（８Ｂ−１）を有し、主巻線巻装体１１、補助巻線巻装体１３を形成する際には、隣接する絶縁体８Ａ（８Ｂ）の延出部８Ａ−１（８Ｂ−１）同士が結合して固定子完成品の外径と同等寸法の環状に一体化して保持したのち、延出部８Ａ−１（８Ｂ−１）に設けた保持機構８Ａ−２（８Ｂ−２）に主巻線１０または補助巻線１２の渡り線９Ａ（９Ｂ）を保持しながら巻線巻装するコンデンサ電動機の固定子の製造方法である。【選択図】図１
2010178448.tif 000002
【特許請求の範囲】
【請求項１】
外周側が環状に結合される継鉄部と内周側に突き出した回転子対向面を有した歯部とを一体にし、スロット数と同数に分割した分割鉄芯体と、前記歯部に装着される絶縁体とで構成され、前記絶縁体を装着した極数個の前記分割鉄芯体に前記絶縁体に集中巻で渡り線を介し主巻線を連続的に直巻巻装した主巻線巻装体と、前記絶縁体を装着した極数個の前記分割鉄芯体に前記絶縁体に集中巻で渡り線を介し補助巻線を連続的に直巻巻装した補助巻線巻装体とよりなり、前記主巻線巻装体と補助巻線巻装体が交互に配列されるように組み合わせ固着一体化される電動機の固定子の製造方法において、前記絶縁体は、回転子側の内壁に沿って周方向両側に延長された延出部を有し、前記主巻線巻装体、前記補助巻線巻装体を形成する際には、隣接する絶縁体の延出部同士が結合して固定子完成品の外径と同等寸法の環状に一体化して保持したのち、前記延出部に設けた保持機構に主巻線または補助巻線の渡り線を保持しながら巻線巻装するコンデンサ電動機の固定子の製造方法。
【請求項２】
一方の前記延出部の端部には、固着用突起を設け、他方の前記延出部の端部には、固着用孔部を設け、この固着用突起を固着用孔部に挿入固着することで前記分割鉄芯体を極数個だけ固定子完成品の外径と同等寸法の環状に一体化して保持する請求項１記載のコンデンサ電動機の固定子の製造方法。
【請求項３】
分割鉄芯体の絶縁体の周方向に延長された延出部に設けられた固着用孔部は周方向に連続した長孔形状であり、主巻線巻装時、補助巻線巻装時、主巻線巻装体群と補助巻線巻装体群との組み合わせ工程を通して常に前記固着用突起は固着用孔部に挿入固着されたままで保持される請求項２記載のコンデンサ電動機の固定子の製造方法。
【請求項４】
主巻線巻装体及び補助巻線巻装体は固定子完成品外径の正規寸法より僅かに大径の環状に保持されて巻線巻装する請求項１〜３いずれかひとつに記載のコンデンサ電動機の固定子の製造方法。
【請求項５】
主巻線巻装体及び補助巻線巻装体は巻線巻装後、そのまま各々が交互に配列されるように組み合わせた後、固定子完成品外径の正規寸法まで縮めながら固着一体化してなる請求項１〜４いずれかひとつに記載のコンデンサ電動機の固定子の製造方法。
【請求項６】
主巻線の渡り線は主巻線渡り側の絶縁体の延出部で保持され、補助巻線の渡り線は補助渡り側の延出部で保持された請求項１〜５いずれかひとつに記載のコンデンサ電動機の固定子の製造方法。
【請求項７】
主巻線巻装体群と補助巻線巻装体群との組み合わせは、前記主巻線巻装体群の主渡り側の反対側の面と補助巻線巻装体群の補助渡り側の反対側の面とを対向させながら、主巻線巻装体群と補助巻線巻装体群を回転子軸方向に移動し組立する請求項１〜６いずれかひとつに記載のコンデンサ電動機の固定子の製造方法。
【請求項８】
外周側が環状に結合される継鉄部と内周側に突き出した回転子対向面を有した歯部とを一体にし、スロット数と同数に分割した分割鉄芯体と、前記歯部に装着される絶縁体とで構成され、前記絶縁体を装着した極数個の前記分割鉄芯体に前記絶縁体に集中巻で渡り線を介し主巻線を連続的に直巻巻装した主巻線巻装体と、前記絶縁体を装着した極数個の前記分割鉄芯体に前記絶縁体に集中巻で渡り線を介し補助巻線を連続的に直巻巻装した補助巻線巻装体とよりなり、前記主巻線巻装体と補助巻線巻装体が交互に配列されるように組み合わせ固着一体化される電動機の固定子において、前記絶縁体は、回転子側の内壁に沿って周方向両側に延長された延出部を有し、前記主巻線巻装体、前記補助巻線巻装体を形成する際には、隣接する絶縁体の延出部同士が結合して固定子完成品の外径と同等寸法の環状に一体化して保持したのち、前記延出部に設けた保持機構に主巻線または補助巻線の渡り線を保持しながら巻線巻装するコンデンサ電動機の固定子。
【請求項９】
一方の前記延出部の端部には、固着用突起を設け、他方の前記延出部の端部には、固着用孔部を設け、この固着用突起を固着用孔部に挿入固着することで前記分割鉄芯体を極数個だけ固定子完成品の外径と同等寸法の環状に一体化して保持する請求項８記載のコンデンサ電動機の固定子。
【請求項１０】
前記固着用孔部は周方向に連続した長孔形状を有する構成の請求項９記載のコンデンサ電動機の固定子。
【請求項１１】
主巻線巻装時、補助巻線巻装時、主巻線巻装体群と補助巻線巻装体群との組み合わせ工程を通して常に前記固着用突起は前記固着用孔部に挿入固着されたままで周方向に摺動し移動しながら保持してなる構成の請求項９または１０に記載のコンデンサ電動機。
【請求項１２】
主巻線巻装体及び補助巻線巻装体は固定子完成品の外径より僅かに大径の環状に保持されて巻線巻装してなる構成の請求項８〜１１いずれかひとつに記載のコンデンサ電動機の固定子。
【請求項１３】
主巻線巻装体及び補助巻線巻装体は巻線巻装後、そのまま各々が交互に配列されるように組み合わせた後、固定子完成品外径の正規寸法まで縮めながら固着一体化してなる構成の請求項８〜１２いずれかひとつに記載のコンデンサ電動機の固定子。
【請求項１４】
主巻線の渡り線は主巻線渡り側の絶縁体の延出部で保持され、補助巻線の渡り線は補助渡り側の延出部で保持してなる構成の請求項８〜１３いずれかひとつに記載のコンデンサ電動機の固定子。
【請求項１５】
主巻線巻装体群と補助巻線巻装体群との組み合わせは、前記主巻線巻装体群の主渡り側の反対側の面と補助巻線巻装体群の補助渡り側の反対側の面とを対向させながら、主巻線巻装体群と補助巻線巻装体群を回転子軸方向に移動し組立してなる構成の請求項８〜１４いずれかひとつに記載のコンデンサ電動機の固定子。
【発明の詳細な説明】
【技術分野】
【０００１】
本発明は、継鉄部と歯部とを連結しスロット数と同数に分割した分割鉄芯構造の固定子鉄芯を有するコンデンサ電動機とその製造方法に関する。
【背景技術】
【０００２】
近年この種コンデンサ電動機においては、複数に分割した固定子鉄芯に巻線を施工したのち環状に配列してなる固定子とその製造方法が知られるようになった（例えば、特許文献１参照）。
【０００３】
以下、その構成と製造方法について図１５、図１６および１７を参照しながら説明する。
【０００４】
図に示すように、主巻線１０１は環状に保持された極数個の分割鉄芯体１０２の各々に絶縁体１０３を装着後に主渡り線側の渡り線１０４Ａを介して連続的に巻回されて主巻線巻装体１０５が形成され、同様に補助巻線１０６も環状に保持された極数個の分割鉄芯体１０２の各々に絶縁体１０３を装着後に補助渡り線側の渡り線１０４Ｂを介して連続的に巻回されて補助巻線巻装体１０７が形成され、前記主巻線巻装体１０５と補助巻線巻装体１０６を軸方向に移動させ組立し固定子１０８を構成していた。
【特許文献１】特開２０００−２５３６０３号公報
【発明の開示】
【発明が解決しようとする課題】
【０００５】
このような従来のコンデンサ電動機の固定子１０８における巻線巻装方法および構成では、装着した絶縁体１０３には渡り線１０４Ａ、１０４Ｂの保持部分がないため、渡り線１０４Ａ，１０４Ｂの保持は巻線機の構造部分にその機能を持たせる必要があり、巻線機の構造が複雑になるという課題があり、巻線機の構造簡略化が要求されている。また、主巻線巻装体１０５と補助巻線巻装体１０７を軸方向に組み合わせて一体化するとき、前記渡り線１０４Ａ、１０４Ｂの保持、緩み防止および長さ管理などの処理が複雑になるという課題があり、前記主巻線巻装体１０５と補助巻線巻装体１０７一体化作業の簡略化が要求されている。
【０００６】
本発明はこのような従来の課題を解決するものであり、巻線機の構造部分を簡略化し、主巻線巻装体と補助巻線巻装体の組み合わせ作業と渡り線の処理作業の簡略化を図ることができるコンデンサ電動機の固定子およびその製造方法を提供することを目的とする。
【課題を解決するための手段】
【０００７】
本発明のコンデンサ電動機は、外周側が環状に結合される継鉄部と内周側に突き出した回転子対向面を有した歯部とを一体にし、スロット数と同数に分割した分割鉄芯体と、前記歯部に装着される絶縁体とで構成され、前記絶縁体を装着した極数個の前記分割鉄芯体に前記絶縁体に集中巻で渡り線を介し主巻線を連続的に直巻巻装した主巻線巻装体と、前記絶縁体を装着した極数個の前記分割鉄芯体に前記絶縁体に集中巻で渡り線を介し補助巻線を連続的に直巻巻装した補助巻線巻装体とよりなり、前記主巻線巻装体と補助巻線巻装体が交互に配列されるように組み合わせ固着一体化される電動機の固定子の製造方法において、前記絶縁体は、回転子側の内壁に沿って周方向両側に延長された延出部を有し、前記主巻線巻装体、前記補助巻線巻装体を形成する際には、隣接する絶縁体の延出部同士が結合して固定子完成品の外径と同等寸法の環状に一体化して保持したのち、前記延出部に設けた保持機構に主巻線または補助巻線の渡り線を保持しながら巻線巻装する製造方法としたものである。
【０００８】
この手段により、分割鉄芯体に主巻線および補助巻線を直巻巻装する巻線機の構造部分を簡略化し、主巻線巻装体群と補助巻線巻装体群との組み合わせ時に渡り線の処理の簡略化を図ることのできるコンデンサ電動機の製造方法を提供することができる。
【０００９】
また、他の手段は、一方の前記延出部の端部には、固着用突起を設け、他方の前記延出部の端部には、固着用孔部を設け、この固着用突起を固着用孔部に挿入固着することで前記分割鉄芯体を極数個だけ固定子完成品の外径と同等寸法の環状に一体化して保持する製造方法としたものである。
【００１０】
また他の手段は、分割鉄芯体の絶縁体の周方向に延長された延出部に設けられた固着用孔部は周方向に連続した長孔形状であり、主巻線巻装時、補助巻線巻装時、主巻線巻装体群と補助巻線巻装体群との組み合わせ工程を通して常に前記固着用突起は固着用孔部に挿入固着されたままで保持される製造方法としたものである。
【００１１】
この手段により、主巻線巻装用の極数個の分割鉄芯体と補助巻線巻装用の極数個の分割鉄芯体は常に一体に保持されるとともに、主巻線巻装体群および補助巻線巻装体群を固定子完成品外径の正規寸法から異なる寸法でも環状に保持固定が可能であり、組立作業を簡略化する製造方法を提供することができる。
【００１２】
また他の手段は、主巻線巻装体及び補助巻線巻装体は固定子完成品の外径より僅かに大径の環状に保持されて巻線巻装する製造方法としたものである。
【００１３】
この手段により、各々の渡り線を僅かに伸長する程度の張力で巻線巻装したまま保持できる巻線工法を提供することができる。
【００１４】
また他の手段は、巻線巻装後の主巻線巻装体及び補助巻線巻装体は、そのまま各々が交互に配列されるように組み合わせた後、固定子完成品外径の正規寸法まで縮めながら固着一体化してなる製造方法としたものである。
【００１５】
この手段により、主巻線巻装体及び補助巻線巻装体は嵌合されることなく組み合わされたのち、各々の渡り線は巻線巻装時よりも小径に組み合わされてもスプリングバック作用で緩むことなく保持されて組立される製造工法を提供することができる。
【００１６】
また他の手段は、主巻線の渡り線は主巻線渡り側の絶縁体の延出部で保持され、補助巻線の渡り線は補助渡り側の延出部で保持される製造方法としたものである。
【００１７】
この手段により、主巻線巻装体の渡り線と補助巻線巻装体の渡り線は接触することなく保持される製造方法を提供することができる。
【００１８】
また他の手段は、主巻線巻装体群と補助巻線巻装体群との組み合わせは、前記主巻線巻装体群の主渡り側の反対側の面と補助巻線巻装体群の補助渡り側の反対側の面とを対向させながら、主巻線巻装体群と補助巻線巻装体群を回転子軸方向に移動し組立する製造方法としたものである。
【００１９】
この手段により、主巻線巻装体群と補助巻線巻装体群との組み合わせは各々の渡り線が障害になることなく一体化できる製造方法を提供することができる。
【００２０】
また他の手段は、外周側が環状に結合される継鉄部と内周側に突き出した回転子対向面を有した歯部とを一体にし、スロット数と同数に分割した分割鉄芯体と、前記歯部に装着される絶縁体とで構成され、前記絶縁体を装着した極数個の前記分割鉄芯体に前記絶縁体に集中巻で渡り線を介し主巻線を連続的に直巻巻装した主巻線巻装体と、前記絶縁体を装着した極数個の前記分割鉄芯体に前記絶縁体に集中巻で渡り線を介し補助巻線を連続的に直巻巻装した補助巻線巻装体とよりなり、前記主巻線巻装体と補助巻線巻装体が交互に配列されるように組み合わせ固着一体化される電動機の固定子において、前記絶縁体は、回転子側の内壁に沿って周方向両側に延長された延出部を有し、前記主巻線巻装体、前記補助巻線巻装体を形成する際には、隣接する絶縁体の延出部同士が結合して固定子完成品の外径と同等寸法の環状に一体化して保持したのち、前記延出部に設けた保持機構に主巻線または補助巻線の渡り線を保持しながら巻線巻装する構成としたものである。
【００２１】
この手段により、分割鉄芯体に主巻線および補助巻線を直巻巻装する巻線機の構造部分を簡略化し、主巻線巻装体群と補助巻線巻装体群との組み合わせ時に渡り線の処理の簡略化を図ることのできるコンデンサ電動機を提供することができる。
【００２２】
また、他の手段は、一方の前記延出部の端部には、固着用突起を設け、他方の前記延出部の端部には、固着用孔部を設け、この固着用突起を固着用孔部に挿入固着することで前記分割鉄芯体を極数個だけ固定子完成品の外径と同等寸法の環状に一体化して保持するものである。
【００２３】
また他の手段は、分割鉄芯体の絶縁体の周方向に延長された延出部に設けられた固着用孔部は周方向に連続した長孔形状を有する構成としたものである。
【００２４】
この手段により、分割鉄芯体は固定子外径の正規寸法以外の寸法でも固着用孔部に固着用突起が挿入固着されたまま保持されることが可能なコンデンサ電動機を提供することができる。
【００２５】
また他の手段は、分割鉄芯体の絶縁体の周方向に延長された延出部に設けられた固着用孔部は周方向に連続した長孔形状であり、主巻線巻装時、補助巻線巻装時、主巻線巻装体群と補助巻線巻装体群との組み合わせ工程を通して常に前記固着用突起は固着用孔部に挿入固着されたままで周方向に摺動し移動しながら保持してなる構成としたものである。
【００２６】
この手段により、主巻線巻装用の極数個の分割鉄芯体と補助巻線巻装用の極数個の分割鉄芯体は常に一体に保持されるとともに、主巻線巻装体群および補助巻線巻装体群を固定子完成品外径の正規寸法から異なる寸法でも環状に保持固定が可能であり、組立作業を簡略化することが可能なコンデンサ電動機を提供することができる。
【００２７】
また他の手段は、主巻線巻装体及び補助巻線巻装体は固定子完成品の外径より僅かに大径の環状に保持されて巻線巻装してなる構成としたものである。
【００２８】
この手段により、各々の渡り線を僅かに伸長する程度の張力で巻線巻装したまま保持できるコンデンサ電動機を提供することができる。
【００２９】
また他の手段は、主巻線巻装体及び補助巻線巻装体は巻線巻装後、そのまま各々が交互に配列されるように組み合わせた後、固定子完成品外径の正規寸法まで縮めながら固着一体化してなる構成としたものである。
【００３０】
この手段により、主巻線巻装体及び補助巻線巻装体は嵌合されることなく組み合わされたのち、各々の渡り線は巻線巻装時よりも小径に組み合わされてもスプリングバック作用で緩むことなく保持されて組立できる製造工法を提供することができる。
【００３１】
また他の手段は、主巻線の渡り線は主巻線渡り側の絶縁体の延出部で保持され、補助巻線の渡り線は補助渡り側の延出部で保持してなる構成としたものである。
【００３２】
この手段により、主巻線巻装体の渡り線と補助巻線巻装体の渡り線は接触することなく保持されるコンデンサ電動機を提供することができる。
【００３３】
また他の手段は、主巻線巻装体群と補助巻線巻装体群との組み合わせは、前記主巻線巻装体群の主渡り側の反対側の面と補助巻線巻装体群の補助渡り側の反対側の面とを対向させながら、主巻線巻装体群と補助巻線巻装体群を回転子軸方向に移動し組立してなる構成としたものである。
【００３４】
この手段により、主巻線巻装体群と補助巻線巻装体群との組み合わせは各々の渡り線が障害になることなく一体化できるコンデンサ電動機を提供することができる。
【発明の効果】
【００３５】
本発明のコンデンサ電動機及びその製造方法によれば、分割鉄芯体に主巻線および補助巻線を直巻巻装する巻線機の構造部分を簡略化し、主巻線巻装体群と補助巻線巻装体群との組み合わせ時に渡り線の処理の簡略化を図ることができる。
【００３６】
また、主巻線巻装用の極数個の分割鉄芯体と補助巻線巻装用の極数個の分割鉄芯体は常に一体に保持されるとともに、主巻線巻装体群および補助巻線巻装体群を固定子完成品外径の正規寸法から異なる寸法でも環状に保持固定が可能であり、組立作業を簡略化する製造方法を提供することができる。
【００３７】
また、各々の渡り線を僅かに伸長する程度の張力で巻線巻装したまま保持できる巻線工法を提供することができる。
【００３８】
また、主巻線巻装体及び補助巻線巻装体は嵌合されることなく組み合わされたのち、各々の渡り線は巻線巻装時よりも小径に組み合わされてもスプリングバック作用で緩むことなく保持されて組立される製造方法を提供することができる。
【００３９】
また、主巻線巻装体の渡り線と補助巻線巻装体の渡り線は接触することなく保持される製造方法を提供することができる。
【００４０】
また、主巻線巻装体群と補助巻線巻装体群との組み合わせは各々の渡り線が障害になることなく一体化できる製造方法を提供することができる。
【００４１】
また、分割鉄芯体に主巻線および補助巻線を直巻巻装する巻線機の構造部分を簡略化し、主巻線巻装体群と補助巻線巻装体群との組み合わせ時に渡り線の処理の簡略化を図ることのできるコンデンサ電動機を提供することができる。
【００４２】
また、分割鉄芯体は固定子外径の正規寸法以外の寸法でも固着用孔部に固着用突起が挿入固着されたまま保持されることが可能なコンデンサ電動機を提供することができる。
【００４３】
また、主巻線巻装用の極数個の分割鉄芯体と補助巻線巻装用の極数個の分割鉄芯体は常に一体に保持されるとともに、主巻線巻装体群および補助巻線巻装体群を固定子完成品外径の正規寸法から異なる寸法でも環状に保持固定が可能であり、組立作業を簡略化することが可能なコンデンサ電動機を提供することができる。
【００４４】
また、各々の渡り線を僅かに伸長する程度の張力で巻線巻装したまま保持できるコンデンサ電動機を提供することができる。
【００４５】
また、主巻線巻装体及び補助巻線巻装体は嵌合されることなく組み合わされたのち、各々の渡り線は巻線巻装時よりも小径に組み合わされてもスプリングバック作用で緩むことなく保持されて組立されるが可能な製造工法を提供することができる。
【００４６】
また、主巻線巻装体の渡り線と補助巻線巻装体の渡り線は接触することなく保持されるが可能なコンデンサ電動機を提供することができる。
【００４７】
また、主巻線巻装体群と補助巻線巻装体群との組み合わせは各々の渡り線が障害になることなく一体化できるが可能なコンデンサ電動機を提供することができる。
【発明を実施するための最良の形態】
【００４８】
本発明の請求項１に記載の発明は、外周側が環状に結合される継鉄部と内周側に突き出した回転子対向面を有した歯部とを一体にし、スロット数と同数に分割した分割鉄芯体と、前記歯部に装着される絶縁体とで構成され、前記絶縁体を装着した極数個の前記分割鉄芯体に前記絶縁体に集中巻で渡り線を介し主巻線を連続的に直巻巻装した主巻線巻装体と、前記絶縁体を装着した極数個の前記分割鉄芯体に前記絶縁体に集中巻で渡り線を介し補助巻線を連続的に直巻巻装した補助巻線巻装体とよりなり、前記主巻線巻装体と補助巻線巻装体が交互に配列されるように組み合わせ固着一体化される電動機の固定子の製造方法において、前記絶縁体は、回転子側の内壁に沿って周方向両側に延長された延出部を有し、前記主巻線巻装体、前記補助巻線巻装体を形成する際には、隣接する絶縁体の延出部同士が結合して固定子完成品の外径と同等寸法の環状に一体化して保持したのち、前記延出部に設けた保持機構に主巻線または補助巻線の渡り線を保持しながら巻線巻装する製造方法としたもので、分割鉄芯体に主巻線および補助巻線を直巻巻装する巻線機の構造部分を簡略化し、主巻線巻装体群と補助巻線巻装体群との組み合わせ時に渡り線の処理の簡略化を図ることができるという作用を有する。
【００４９】
また、一方の前記延出部の端部には、固着用突起を設け、他方の前記延出部の端部には、固着用孔部を設け、この固着用突起を固着用孔部に挿入固着することで前記分割鉄芯体を極数個だけ固定子完成品の外径と同等寸法の環状に一体化して保持する製造方法としたものである。
【００５０】
また、分割鉄芯体の絶縁体の周方向に延長された延出部に設けられた固着用孔部は周方向に連続した長孔形状であり、主巻線巻装時、補助巻線巻装時、主巻線巻装体群と補助巻線巻装体群との組み合わせ工程を通して常に前記固着用突起は固着用孔部に挿入固着されたままで保持される製造方法としたもので、分割鉄芯体の絶縁体の周方向に延長された延出部に設けられた固着用孔部は周方向に連続した長孔形状であり、主巻線巻装時、補助巻線巻装時、主巻線巻装体群と補助巻線巻装体群との組み合わせ工程を通して常に前記固着用突起は固着用孔部に挿入固着されたままで保持することができるという作用を有する。
【００５１】
また、主巻線巻装体及び補助巻線巻装体は固定子完成品の外径より僅かに大径の環状に保持されて巻線巻装する製造方法としたもので、各々の渡り線を僅かに伸長する程度の張力で巻線巻装したまま保持できるという作用を有する。
【００５２】
また、巻線巻装後の主巻線巻装体及び補助巻線巻装体は、そのまま各々が交互に配列されるように組み合わせた後、固定子完成品外径の正規寸法まで縮めながら固着一体化してなる製造方法としたもので、主巻線巻装体及び補助巻線巻装体は嵌合されることなく組み合わされたのち、各々の渡り線は巻線巻装時よりも小径に組み合わされてもスプリングバック作用で緩むことなく保持されて組立されるなるという作用を有する。
【００５３】
また、主巻線の渡り線は主巻線渡り側の絶縁体の延出部で保持され、補助巻線の渡り線は補助渡り側の延出部で保持された製造方法としたものであり、主巻線巻装体の渡り線と補助巻線巻装体の渡り線は接触することなく保持できるという作用を有する。
【００５４】
また、主巻線巻装体群と補助巻線巻装体群との組み合わせは、前記主巻線巻装体群の主渡り側の反対側の面と補助巻線巻装体群の補助渡り側の反対側の面とを対向させながら、主巻線巻装体群と補助巻線巻装体群を回転子軸方向に移動し組立する製造方法としたもので、主巻線巻装体群と補助巻線巻装体群との組み合わせは各々の渡り線が障害になることなく一体化できるという作用を有する。
【００５５】
また、外周側が環状に結合される継鉄部と内周側に突き出した回転子対向面を有した歯部とを一体にし、スロット数と同数に分割した分割鉄芯体と、前記歯部に装着される絶縁体とで構成され、前記絶縁体を装着した極数個の前記分割鉄芯体に前記絶縁体に集中巻で渡り線を介し主巻線を連続的に直巻巻装した主巻線巻装体と、前記絶縁体を装着した極数個の前記分割鉄芯体に前記絶縁体に集中巻で渡り線を介し補助巻線を連続的に直巻巻装した補助巻線巻装体とよりなり、前記主巻線巻装体と補助巻線巻装体が交互に配列されるように組み合わせ固着一体化される電動機の固定子において、前記絶縁体は、回転子側の内壁に沿って周方向両側に延長された延出部を有し、前記主巻線巻装体、前記補助巻線巻装体を形成する際には、隣接する絶縁体の延出部同士が結合して固定子完成品の外径と同等寸法の環状に一体化して保持したのち、前記延出部に設けた保持機構に主巻線または補助巻線の渡り線を保持しながら巻線巻装するもので、分割鉄芯体に主巻線および補助巻線を直巻巻装する巻線機の構造部分を簡略化し、主巻線巻装体群と補助巻線巻装体群との組み合わせ時に渡り線の処理の簡略化を図ることができるという作用を有する。
【００５６】
また、一方の前記延出部の端部には、固着用突起を設け、他方の前記延出部の端部には、固着用孔部を設け、この固着用突起を固着用孔部に挿入固着することで前記分割鉄芯体を極数個だけ固定子完成品の外径と同等寸法の環状に一体化して保持するものである。
【００５７】
また、分割鉄芯体の絶縁体の周方向に延長された延出部に設けられた固着用孔部は周方向に連続した長孔形状を有する構成としたもので、分割鉄芯体は固定子外径の正規寸法以外の寸法でも固着用孔部に固着用突起が挿入固着されたまま保持されることができるという作用を有する。
【００５８】
また、分割鉄芯体の絶縁体の周方向に延長された延出部に設けられた固着用孔部は周方向に連続した長孔形状であり、主巻線巻装時、補助巻線巻装時、主巻線巻装体群と補助巻線巻装体群との組み合わせ工程を通して常に前記固着用突起は固着用孔部に挿入固着されたままで周方向に摺動し移動しながら保持してなる構成としたもので、主巻線巻装用の極数個の分割鉄芯体と補助巻線巻装用の極数個の分割鉄芯体は常に一体に保持されるとともに、主巻線巻装体群および補助巻線巻装体群を固定子完成品外径の正規寸法から異なる寸法でも環状に保持固定が可能であり、組立作業を簡略化することが可能という作用を有する。
【００５９】
また、主巻線巻装体及び補助巻線巻装体は固定子完成品の外径より僅かに大径の環状に保持されて巻線巻装してなる構成としたもので、各々の渡り線を僅かに伸長する程度の張力で巻線巻装したまま保持できるという作用を有する。
【００６０】
また、主巻線巻装体及び補助巻線巻装体は巻線巻装後、そのまま各々が交互に配列されるように組み合わせた後、固定子完成品外径の正規寸法まで縮めながら固着一体化してなる構成としたもので、主巻線巻装体及び補助巻線巻装体は嵌合されることなく組み合わされたのち、各々の渡り線は巻線巻装時よりも小径に組み合わされてもスプリングバック作用で緩むことなく保持されて組立できるという作用を有する。
【００６１】
また、主巻線の渡り線は主巻線渡り側の絶縁体の延出部で保持され、補助巻線の渡り線は補助渡り側の延出部で保持してなる構成としたもので、主巻線巻装体の渡り線と補助巻線巻装体の渡り線は接触することなく保持できるという作用を有する。
【００６２】
また、主巻線巻装体群と補助巻線巻装体群との組み合わせは、前記主巻線巻装体群の主渡り側の反対側の面と補助巻線巻装体群の補助渡り側の反対側の面とを対向させながら、主巻線巻装体群と補助巻線巻装体群を回転子軸方向に移動し組立してなる構成としたもので、主巻線巻装体群と補助巻線巻装体群との組み合わせは各々の渡り線が障害になることなく一体化できるという作用を有する。
【００６３】
（実施の形態１）
本発明の第１の実施の形態について、図１〜図１４を用いて説明する。外周に円弧面１を形成した継鉄部２と内周に回転子対向面３を有した歯部４とからなる分割鉄芯板５（図４）を所定枚数積層してスロット６の数と同数に分割してなる分割鉄芯体７（図５）と、この分割鉄芯体７に絶縁体８Ａを装着し、巻線機（図示せず）により集中巻で渡り線９Ａを介して極数個連続的に主巻線１０を直巻巻装し形成した主巻線巻装体１１と、主巻線巻装体１１とは別に分割鉄芯体７に絶縁体８Ｂを装着し、巻線機により集中巻で前記主巻線巻装体１１を設けた側とは分割鉄芯体７を挟み軸方向の相反する側に配した渡り線９Ｂを介して極数個連続的に補助巻線１２を直巻巻装し形成した補助巻線巻装体１３とからなり、これらの主巻線巻装体１１および補助巻線巻装体１３を各々環状に配列した主巻線巻装体群１１Ｇおよび補助巻線巻装体群１３Ｇは主巻線巻装体１１の渡り線９Ａを設けない側と環状に配列した補助巻線巻装体１３の渡り線９Ｂを設けない側とを対向させて軸方向に組み合わされており、前記主巻線巻装体１１と補助巻線巻装体１３が交互に環状に配列し一体化して固着されることにより固定子１４が構成されることとなる。
【００６４】
また、図１２に示すように、主巻線巻装体１１の渡り線９Ａ（図示せず）を有する主渡り線側１５と補助巻線巻装体１３の渡り線９Ｂを有する補助渡り線側１６を分割鉄芯体７の軸方向の相反する側に配置する。
【００６５】
そして、主巻線１０は環状に配列された極数個の分割鉄芯体７に装着された絶縁体８Ａを介して直巻巻装されているとともに、この絶縁体８Ａには主渡り線側１５で固定子１４の時計方向および反時計方向の周方向に大きく延出した延出部８Ａ−１を有し、延出部８Ａ−１に設けた保持機構８Ａ−２により主巻線１０の渡り線９Ａが保持されており、同様に補助巻線１２は環状または直線状等に配列された極数個の分割鉄芯体７に装着された絶縁体８Ｂを介して直巻巻装されているとともに、この絶縁体８Ｂには補助渡り線側１６固定子１４の時計方向および反時計方向の周方向に大きく延出した延出部８Ｂ−１を有し、延出部８Ｂ−１に設けた保持機構８Ｂ−２により補助巻線１２の渡り線９Ａが保持され、主巻線１０の渡り線９Ａと補助巻線１２の渡り線９Ｂとは電気的に分離されるとともに、各々別個に設けた絶縁性の構造部分により機械的に固定されて構成される。
【００６６】
また、主巻線１０巻装用の分割鉄芯体７に装着する絶縁体８Ａの延出部８Ａ−１は主渡り線側１５にのみ設けられ、補助巻線１２巻装用の分割鉄芯体７に装着する絶縁体８Ｂの延出部８Ｂ−１は補助渡り線側１６にのみ設けられて構成される。
【００６７】
また、図１３、図１４に示すように、主巻線巻装体１１の絶縁体８Ａから時計方向の周方向に延出した延出部８Ａ−１の一方の周方向端部には略円柱形状で径方向に突出した固着用突起１７を設け、隣接する主巻線巻装体１１の絶縁体８Ａから反時計方向の周方向に延出した延出部８Ａ−１の一方の周方向端部に設けられて周方向に連続した長孔形状の固着用孔部１８に対してオーバーラップしながら挿入保持され、周方向に僅かに移動可能に配置して構成されてなる。同様に、各補助巻線巻装体１３の絶縁体８Ｂから時計方向の周方向に延出した延出部８Ｂ−１の一方の周方向端部には略円柱形状で径方向に突出した固着用突起１７を設け、隣接する主巻線巻装体１１の絶縁体８Ｂから反時計方向の周方向に延出した延出部８Ｂ−１の一方の周方向端部に設けられて周方向に連続した長孔形状の固着用孔部１８に対してオーバーラップしながら挿入保持され、周方向に僅かに移動可能に配置して構成されてなる。各々４個の絶縁体８Ａ、８Ｂは各々４個の分割鉄芯体７に装着され、前記絶縁体８Ａが装着された４個の分割鉄芯体７は絶縁体８Ａの延出部８Ａ−１に設けた固着用突起１７が固着用孔部１８に対して挿入保持されることで一体に保持され、同様に前記絶縁体８Ｂが装着された４個の分割鉄芯体７は絶縁体８Ｂの延出部８Ｂ−１に設けた固着用突起１７が固着用孔部１８に対して挿入保持されることで一体に保持されてなる。そして、巻線巻装時および巻線巻装後の主巻線巻装体群１１Ｇと補助巻線巻装体群１３Ｇとの合体時においては、固定子１４の正規外径寸法に比べて僅かに大径に保持された状態で組み合わせて合体した後に正規外径寸法まで縮小され、外周部の分割面を溶接などで一体化されることになる。
【００６８】
このように本発明の実施の形態１のコンデンサ電動機の固定子によれば、主巻線１０の渡り線９Ａが補助巻線巻装体１３の絶縁体８Ｂの延出部８Ｂ−１に設けた保持機構８Ｂ−２により保持され、補助巻線１２の渡り線９Ｂが主巻線巻装体１１の絶縁体８Ａの延出部８Ａ−１に設けた保持機構８Ａ−２により保持されて機械的に固定されているため、主巻線１０及び補助巻線１２を直巻巻装する巻線機側に前記渡り線９Ａ、９Ｂを保持するための構造部分を設ける必要が無く、また主巻線巻装体１１と補助巻線巻装体１３の組み合わせ時において渡り線９Ａ、９Ｂに負荷がかかることを少なくすることが可能になる。
【００６９】
また、主巻線巻装体１１の絶縁体８Ａの延出部８Ａ−１は補助渡り線側１６にのみ設けられ、補助巻線巻装体１３の絶縁体８Ｂの延出部８Ｂ−１は分割鉄芯体７を挟んで補助渡り線側１６の反対側の主渡り線側１５にのみ設けられているため、主巻線巻装体群１１Ｇと補助巻線巻装体群１３Ｇの組み合わせ時に、前記延出部８Ａ−１、および８Ｂ−１が組み合わせ作業の障害にはならないことになり、渡り線処理の簡略化ができる。
【００７０】
また、主巻線巻装体群１１Ｇと補助巻線巻装体群１３Ｇとは各々固定子完成品外径の正規寸法より僅かに大径に保持された状態のまま合体されるため、それぞれ嵌合ではなく組み合わせにより合体されることになり、組み合わせ後、固定子正規寸法に戻したときも渡り線９Ａと渡り線９Ｂはスプリングバック作用により緩むことなく保持されて組立される。すなわち、主巻線巻装体群１１Ｇと補助巻線巻装体群１３Ｇとの合体時は図１４に示すように固着用突起１７が固着用孔部１８の径拡大方向の端部に移動して保持され、合体後、固定子正規寸法に戻したときは図１３に示すように固着用突起１７が固着用孔部１８の中央部に戻り保持されることになる。
【００７１】
また、主巻線１０の渡り線９Ａは主巻線巻装体１１の絶縁体８Ａの延出部８Ａ−１のみで保持され、補助巻線１２の渡り線９Ｂは主巻線巻装体１１の延出部８Ｂ−１のみで保持されているため、主巻線１０の渡り線９Ａと補助巻線１２の渡り線９Ｂが接触することが無く、電気的な不具合の発生を防止することができる。
【００７２】
また、主巻線巻装体１１（または補助巻線巻装体１３）の絶縁体８Ａ（または８Ｂ）から時計方向の周方向に延出した延出部８Ａ−１（または８Ｂ−１）の一方の周方向端部には略円柱形状で径方向に突出した固着用突起１７を設け、隣接する主巻線巻装体１１（または補助巻線巻装体１３）の絶縁体８Ａ（８Ｂ）から反時計方向の周方向に延出した延出部８Ａ−１（８Ｂ−１）の一方の周方向端部に設けられて周方向に連続した長孔形状の固着用孔部１８に対してオーバーラップしながら挿入保持され、周方向に僅かに移動可能に配置されているため、前記主巻線巻装体群１１Ｇと補助巻線巻装体群１３Ｇは固定子完成品外径の正規寸法に対して異なる寸法でも保持固定が可能であるため渡り線９Ａ，９Ｂに対するダメージおよび分割鉄芯体７の変形なども防止でき、組立装置の構造簡略化や渡り線処理および組立作業の簡略化が可能となる。
【００７３】
なお、前記の実施の形態１では４極８スロットの固定子構造を用いたが、いかなる極数、スロット数であっても適用可能でその作用効果に差異を生じない。
【００７４】
また、主巻線巻装体および補助巻線巻装体の絶縁体の一方の端部に設けた固着用突起は略円柱形状で径方向に突出した構成としたが、いかなる形状でもよく、軸方向に突出する構造でも可能となり、これに対応した形状と装着方向をもつ固着用孔部が前記主巻線巻装体および補助巻線巻装体の絶縁体のもう一方の端部に設けられることになる。
【産業上の利用可能性】
【００７５】
本発明にかかるコンデンサ電動機は、安全性向上、組立作業の簡略化及び容易化が可能であり、扇風機、換気扇など小型家電製品のファン送風用に使われる電動機などに適用できる。
【図面の簡単な説明】
【００７６】
【図１】本発明の実施の形態１のコンデンサ電動機の固定子の分割鉄芯体に絶縁体を装着した状態の部分斜視図（１／８分割）
【図２】同コンデンサ電動機の固定子の分割鉄芯体に絶縁体を装着した状態の部分斜視図（１／８分割）
【図３】同コンデンサ電動機の固定子の巻線の回路図
【図４】同コンデンサ電動機の固定子鉄芯の分割鉄芯板を示す斜視図
【図５】同コンデンサ電動機の固定子鉄芯の分割鉄芯体を示す斜視図
【図６】同コンデンサ電動機の固定子鉄芯の分割状態を示す正面図
【図７】同コンデンサ電動機の固定子の正面図
【図８】同コンデンサ電動機の固定子の主巻線巻装体群を示す部分拡大斜視図
【図９】同コンデンサ電動機の固定子の補助巻線巻装体群を示す部分拡大斜視図
【図１０】同コンデンサ電動機の固定子の主巻線巻装体群を示す正面図
【図１１】同コンデンサ電動機の固定子の補助巻線巻装体群を示す正面図
【図１２】同コンデンサ電動機の固定子を側面から見た断面図
【図１３】同コンデンサ電動機の固定子の連結部の斜視図
【図１４】同コンデンサ電動機の主巻線巻装体群および補助巻線巻装体群が正規の固定子外径寸法よりも大径に保持された状態における連結部の斜視図
【図１５】従来のコンデンサ電動機の主巻線巻装体の正面図
【図１６】同コンデンサ電動機の補助巻線巻装体の正面図
【図１７】同コンデンサ電動機の固定子の正面図
【符号の説明】
【００７７】
１      円弧面
２      継鉄部
３      回転子対向面
４      歯部
５      分割鉄芯板
６      スロット
７      分割鉄芯体
８Ａ    絶縁体
８Ａ−１  延出部
８Ａ−２  保持機構
８Ｂ    絶縁体
８Ｂ−１  延出部
８Ｂ−２  保持機構
９Ａ    渡り線
９Ｂ    渡り線
１０    主巻線
１１    主巻線巻装体
１１Ｇ  主巻線巻装体群
１２    補助巻線
１３    補助巻線巻装体
１３Ｇ  補助巻線巻装体群
１４    固定子
１５    主渡り線側
１６    補助渡り線側
１７    固着用突起
１８    固着用孔部
【図１】
2010178448.tif 000003
【図２】
2010178448.tif 000004
【図３】
2010178448.tif 000005
【図４】
2010178448.tif 000006
【図５】
2010178448.tif 000007
【図６】
2010178448.tif 000008
【図７】
2010178448.tif 000009
【図８】
2010178448.tif 000010
【図９】
2010178448.tif 000011
【図１０】
2010178448.tif 000012
【図１１】
2010178448.tif 000013
【図１２】
2010178448.tif 000014
【図１３】
2010178448.tif 000015
【図１４】
2010178448.tif 000016
【図１５】
2010178448.tif 000017
【図１６】
2010178448.tif 000018
【図１７】
2010178448.tif 000019